(57)【要約】【課題】  水底の第１反射波〜第ｎ反射波に応じた表示ブロックＢ1〜Ｂnを表示するようにしているために、時間の経過とともに水底の低質がどのように変化しているかを知ることができないという点である。【解決手段】  超音波振動子１２は発振部１３の出力側と受信部１４の入力側に接続され、受信部１４の出力はＡ／Ｄ変換部１５に入力され、Ａ／Ｄ変換部１５の出力は記憶部１６に接続され、記憶部１６の出力は画像信号変換部１７に入力され、記憶部１６の出力は水底からの第２反射波が通過する時間だけ遅らせて開くように設定されたゲート部１８に入力され、ゲート部１８の出力は比較部１９に入力され、比較部１９でレベル記憶部２０に予め設定されたレベル強度と比較され、レベル記憶部２０からのレベル強度と一致したレベル強度信号を画像信号変換部１７に入力され、画像信号に変換されて、表示部２１で表示するように構成されている。【選択図】        図１
2006208143.tif 000002
【特許請求の範囲】
【請求項１】
超音波を水中に照射する超音波振動子と、該超音波振動子に発振出力を印加する発振部と、前記超音波振動子で受信した反射波を増幅する受信部と、該受信部の出力をデジタル信号に変換するＡ／Ｄ変換部と、該Ａ／Ｄ変換部の出力を記憶する記憶部と、該記憶部から読み出された信号を順次画像信号に変換する画像変換部と、前記記憶部から読み出された信号を第２反射波を通過する時間だけ遅らせて通過させるゲート部と、予め段階的に決められたレベル強度を記憶するレベル記憶部と、前記ゲート部を通過した信号を前記レベル記憶部で記憶されたレベル強度と比較する比較部と、該比較部で前記レベル記憶部に記憶されたレベル強度と一致した信号を前記画像変換部に入力して、前記画像信号ととも前記第２反射波のレベル強度を表示する画像表示部とからなることを特徴とする底質表示魚群探知機。
【請求項２】
前記画像表示部に表示される前記第２反射波のレベル強度は棒グラフ又は線グラフで表示することを特徴とする請求項１記載の底質表示魚群探知機。
【発明の詳細な説明】
【技術分野】
【０００１】
本発明は、水底の底質を第２反射波のレベル強度で表示するようにした底質表示魚群探知機に関するものである。
【背景技術】
【０００２】
従来、超音波魚群探知機として、超音波の反射信号を単に表示装置に表示しているが、水底の堅さを判断するためには、第２反射信号及び第３反射信号を表示することが必要であり、そのため、表示する深度範囲を深く（広く）設定しなければならないが、実際の深さを表示する範囲が狭くなって、逆に見にくくなってしまう。そこで、図３に示すように、超音波振動子１は発振部２の出力側と受信部３の入力側に接続され、受信部３の出力はＡ／Ｄ変換部４に入力され、Ａ／Ｄ変換部４の出力は記憶部５に接続され、さらに、記憶部５の出力はゲート部６に入力され、ゲート部６の出力は画像信号変換部７に入力されるとともに、第１検出部８1、第２検出部８2、・・・、第ｎ検出部８nに入力され、第１検出器８1、第２検出器８2、・・・、第ｎ検出器８nの出力は第１表示ブロック設定部９1、第２表示ブロック設定部９2、・・・、第ｎ表示ブロック設定部９nに入力され、第１表示ブロック設定部９1、第２表示ブロック設定部９2、・・・、第ｎ表示ブロック設定部９nの出力は画像信号変換部７に入力され、画像表示信号変換部７でそれぞれ画像信号に変換されて表示部１０に入力されて表示され、又、発振部２、受信部３、記憶部５及びゲート部６に制御部１１から制御信号が印加されている装置を本出願人が提案している。
【０００３】
このように構成された従来の底質表示魚群探知機では、超音波振動子１に発振部２から発振出力が印加されると、超音波振動子１から水中に超音波が照射され、水中の浮遊物、水底から超音波の反射波が超音波振動子１に入力され、又、水底から第１反射波、第２反射波、・・・、第ｎ反射波が超音波振動子１に入力されるので、この入力信号は受信部３で増幅され、Ａ／Ｄ変換部４でデジタル信号に変換されて記憶部５で順次記憶され、これを表示部１０で表示するために、図４に示すように、表示画面をＡ、Ｂに分け、表示画面Ａには通常の魚群探知機の表示画面Ａには、水面Ａ1、魚群Ａ3及び水底Ａ3で表示するとともに、表示画面Ｂには、水底の第１反射波〜第ｎ反射波に応じた表示ブロックＢ1〜Ｂnを表示することにより、画像を見ただけで水底の底質を判断することができる。
【０００４】
しかしながら、この超音波魚群探知機では、水底の第１反射波〜第ｎ反射波に応じた表示ブロックＢ1〜Ｂnを表示するようにしていため、水深が比較的浅い所では、複数の反射があるので、効果はあるが、水深が深くなって、第３反射以下が無くなった場合は全く効果が無くなってしまうという問題があり、又、時間の経過とともに水底の底質がどのように変化しているかを知ることができないという問題がある。
【特許文献１】特願２００２−２５６３１８
【発明の開示】
【発明が解決しようとする課題】
【０００５】
本発明では、水底の第１反射波〜第ｎ反射波に応じた表示ブロックＢ1〜Ｂnを表示するようにしているために、時間の経過とともに水底の底質がどのように変化しているかを知ることができないという点である。
【課題を解決するための手段】
【０００６】
本発明では、超音波振動子は超音波を水中に照射し、発振部は超音波振動子に発振出力を印加し、受信部は超音波振動子で受信した反射波を増幅し、Ａ／Ｄ変換部は受信部で受信した出力をデジタル信号に変換し、記憶部はとＡ／Ｄ変換部の出力を記憶し、画像変換部は記憶部から読み出された信号を順次画像信号に変換し、ゲート部は記憶部から読み出された信号を第２反射波を通過する時間だけ遅らせて通過させ、レベル記憶部は予め段階的に決められたレベル強度を記憶し、比較部はゲート部を通過した信号をレベル記憶部で記憶されたレベル強度と比較し、画像表示部は比較部でレベル記憶部に記憶されたレベル強度と一致した信号を画像変換部に入力し、画像信号ととも前記第２反射波のレベル強度を表示するものである。
【発明の効果】
【０００７】
本発明は、水中からの反射波からゲート部によって第２反射波が通過する時間だけ遅らせて通過した信号をレベル強度に変換して表示部の下方に表示し、又、水中からの反射波を表示部の画面の上部に表示することにより、水底の変化とともに、水底のレベル強度が表示されるので、水底の変化に対して、水底の底質が時間の経過とともにどのように変化するかを明瞭に判別することができるという利点がある。
【発明を実施するための最良の形態】
【０００８】
本発明では、水底の底質がどのように変化するかと言う目的を、水底からの反射波の中の第２反射波のレベル強度を通常の水中の画像を表示する部分の下に併記することにより実現した。
【実施例】
【０００９】
図１は本発明の実施例の底質表示魚群探知機のブロック図で、超音波振動子１２は発振部１３の出力側と受信部１４の入力側に接続され、受信部１４の出力はＡ／Ｄ変換部１５に入力され、Ａ／Ｄ変換部１５の出力は記憶部１６に接続され、さらに、記憶部１６の出力は画像信号変換部１７に入力されるとともに、記憶部１６の出力は水底からの第２反射波が通過する時間だけ遅らせて開くように設定されたゲート部１８に入力され、又、ゲート部１８の出力は比較部１９に入力され、比較部１９で、予め複数段階に設定されたレベル強度が記憶されたレベル記憶部２０からのレベル強度と比較され、レベル記憶部２０からのレベル強度と一致したレベル強度信号を画像信号変換部１７に入力され、画像信号に変換されて、表示部２１で表示するように構成され、制御部２２は発振部１３、受信部１４、Ａ／Ｄ変換部１５、記憶部１６、画像信号変換部１７、ゲート部１８、比較部１９、レベル記憶部２０にそれぞれ制御信号が入力され、点線で囲んだ部分はＣＰＵ２３で構成されている。
【００１０】
このように構成された本実施例の底質表示魚群探知機では、超音波振動子１２に発振部１３から発振出力が印加されると、超音波振動子１２から水中に超音波が照射され、水中の浮遊物、水底から超音波の反射波が超音波振動子１２に入力され、又、水底から第１反射波、第２反射波反射波が超音波振動子１２に入力されるので、この入力信号は受信部１４で増幅され、Ａ／Ｄ変換部１５でデジタル信号に変換されて記憶部１６で順次記憶される。
【００１１】
記憶部１６から読み出された信号は画像信号変換部１７に入力されて、通常の画像表示をするために、図２の表示画面Ａで示すように、超音波振動子１２から送信される信号（発振線）Ａ１、水中の魚群からの反射波Ａ２、水底からの反射波Ａ３がそれぞれ画像信号に変換され、画像信号変換部１７から表示部２１に入力され、画像信号Ａ１、Ａ２、Ａ３がそれぞれ表示され、又、水底からの第２反射波はゲート部１８から比較部１９に入力され、比較部１９で予めレベル記憶部２０に記憶されているレベル強度順次と比較され、このレベル強度の中で一致したレベル強度信号を画像信号変換部１７に入力し、画像信号に変換されて、表示部２１で図２の表示画面Ｂに画像Ｂ１として表示される。なお、画像Ｂ２はレベル強度が強い部分である。
【００１２】
本発明は、このように、表示画面をＡ、Ｂに分け、表示画面Ａには通常の魚群探知機の表示Ａ１〜Ａ３をするとともに、表示画面Ｂには、水底の第２反射波のレベル強度に応じて画像Ｂ１、Ｂ２を表示することにより、水底の画像Ａ３とともに水底の底質をレベル強度Ｂで表示することができる。
【産業上の利用可能性】
【００１３】
なお、本発明では、第２超反射波のレベル強度を検出して表示するようにしたが、第２反射波以外に第１反射波又は第３反射波を検出して表示するようにしてもよいし、又、図２の右端が最新の表示を示しているが、この最新の表示の水底のレベル強度を数値で画像Ｃに表示してもよい。
【図面の簡単な説明】
【００１４】
【図１】本発明の実施例の底質表示魚群探知機のブロック図である。
【図２】図１の底質表示魚群探知機の表示画面を示した図である。
【図３】従来の底質表示魚群探知機のブロック図である。
【図４】従来の底質表示魚群探知機の表示画面を示した図である。
【符号の説明】
【００１５】
１２            超音波振動子
１３            発振部
１４            受信部
１５            Ａ／Ｄ変換部
１６            記憶部
１７            画像信号変換部
１８            ゲート部
１９            比較部
２０            レベル記憶部
２１            表示部
２２            制御部
【図１】
2006208143.tif 000003
【図２】
2006208143.tif 000004
【図３】
2006208143.tif 000005
【図４】
2006208143.tif 000006